(57)【要約】【課題】撮像レンズの光軸方向及びレンズ周方向の位置決めとレンズ中心の位置出しを容易に行なうことができるデジタルカメラを提供する。【解決手段】前側ケース１ａに可動鏡筒突出し部２が設けられたカメラ本体と、カメラ本体内に位置決めして配置されるシャーシ１０と、固定鏡筒部１５と可動鏡筒１６とからなる撮像レンズ１４を有し、固定鏡筒部１５の内部及び外部にズーミングモータ１８等の撮像系部品が設けられた撮像レンズユニット１３とを備え、撮像レンズユニット１３の固定鏡筒部１５の外周とシャーシ１０の前面とに、相互の掛止により、撮像レンズユニット１３を、そのレンズ光軸方向及びレンズ周方向の位置を規定してシャーシ１０の前面に仮固定する爪部１９と爪掛止片２２とを設け、前側ケース１ａの内面に、可動鏡筒突出し部２の周縁に沿わせて、撮像レンズユニット１３の固定鏡筒部１５の前端部を嵌入させて撮像レンズユニット１３のレンズ中心位置を規定する固定鏡筒部嵌合部を形成した。【選択図】図２
2006352343.tif 000002
【特許請求の範囲】
【請求項１】
前側ケースと後側ケースとからなり、前記前側ケースに、撮像レンズの可動鏡筒を前方に突出させるための可動鏡筒突出し部が設けられたカメラ本体と、
前記カメラ本体内に位置決めして配置されるシャーシと、
固定鏡筒部と前記固定鏡筒部内に突出し及び格納可能に設けられた可動鏡筒とからなる撮像レンズを有し、前記固定鏡筒部の内部及び外部に撮像系部品が設けられた撮像レンズユニットとを備え、
前記撮像レンズユニットの前記固定鏡筒部の外周の複数箇所と前記シャーシの前面とに、相互の掛止により、前記撮像レンズユニットを、そのレンズ光軸方向及びレンズ周方向の位置を規定して前記シャーシの前面に仮固定する複数の爪部と爪掛止部とが設けられ、
前記前側ケースの内面に、前記可動鏡筒突出し部の周縁に沿わせて、前記撮像レンズユニットの固定鏡筒部の前端部を嵌入させて前記撮像レンズユニットのレンズ中心位置を規定する固定鏡筒部嵌合部が形成されていることを特徴とするデジタルカメラ。
【請求項２】
複数の爪部は、撮像レンズユニットの固定鏡筒部の外周に突設されており、複数の爪掛止部は、シャーシに前記固定鏡筒部の外周に対向させて設けられ、前記固定鏡筒部の外周面に対して接離する方向に変形する弾性を有し、前記爪部の掛止孔が形成された爪掛止片からなっていることを特徴とする請求項２に記載のデジタルカメラ。
【請求項３】
爪掛止片は、シャーシの前後方向に変形する弾性体を介して前記シャーシに支持されており、この爪掛止片に爪部を掛止された固定鏡筒部の前端を、前記弾性体の弾力により前側ケースの内面の固定鏡筒部嵌合部に押付けることを特徴とする請求項２に記載のデジタルカメラ。
【請求項４】
爪掛止片は、シャーシからその前面側に切起し形成されていることを特徴とする請求項２に記載のデジタルカメラ。
【請求項５】
爪掛止片は、一端においてシャーシにつながり、他端と両側が前記シャーシから切離された舌片の前記他端側の部分を前記シャーシの前面側に切起して形成し、前記舌片の前記一端側の部分により、前記シャーシの前後方向に撓み変形する弾性を有し、前記爪掛止片に爪部を掛止された固定鏡筒部の前端を前側ケースの内面の固定鏡筒部嵌合部に押付ける板バネが形成されていることを特徴とする請求項４に記載のデジタルカメラ。
【請求項６】
前側ケースの可動鏡筒突出し部は、前記前側ケースの前面部に設けられた開口部に化粧リングを嵌着して形成されており、この化粧リングのカメラ本体内に対向する面に固定鏡筒部嵌合部が形成されていることを特徴とする請求項１〜５のいずれかに記載のデジタルカメラ。
【発明の詳細な説明】
【技術分野】
【０００１】
この発明はデジタルカメラに関する。
【背景技術】
【０００２】
デジタルカメラは、前側ケースと後側ケースとからなり、前記前側ケースに、例えば特許文献１に記載された撮像レンズと固体撮像素子等の撮像系部品とを所定の位置関係で組合わせた撮像レンズユニットを配置して構成されている。
【特許文献１】特開平９―４３４７４号公報
【発明の開示】
【発明が解決しようとする課題】
【０００３】
前記デジタルカメラは、前記カメラ本体内に前記撮像レンズユニットを、前記撮像レンズの光軸方向及びレンズ周方向の位置決めを行なうとともに、レンズ中心の位置出しを行なって固定することにより組立てられる。
【０００４】
しかし、従来のデジタルカメラは、前記撮像レンズの光軸方向及びレンズ周方向の位置決めとレンズ中心の位置出しが面倒である。
【０００５】
この発明は、撮像レンズの光軸方向及びレンズ周方向の位置決めとレンズ中心の位置出しを容易に行なうことができるデジタルカメラを提供することを目的としたものである。
【課題を解決するための手段】
【０００６】
この発明のデジタルカメラは、前側ケースと後側ケースとからなり、前記前側ケースに、撮像レンズの可動鏡筒を前方に突出させるための可動鏡筒突出し部が設けられたカメラ本体と、前記カメラ本体内に位置決めして配置されるシャーシと、固定鏡筒部と前記固定鏡筒部内に突出し及び格納可能に設けられた可動鏡筒とからなる撮像レンズを有し、前記固定鏡筒部の内部及び外部に撮像系部品が設けられた撮像レンズユニットとを備え、前記撮像レンズユニットの前記固定鏡筒部の外周の複数箇所と前記シャーシの前面とに、相互の掛止により、前記撮像レンズユニットを、そのレンズ光軸方向及びレンズ周方向の位置を規定して前記シャーシの前面に仮固定する複数の爪部と爪掛止部とが設けられ、前記前側ケースの内面に、前記可動鏡筒突出し部の周縁に沿わせて、前記撮像レンズユニットの固定鏡筒部の前端部を嵌入させて前記撮像レンズユニットのレンズ中心位置を規定する固定鏡筒部嵌合部が形成されていることを特徴とする。
【０００７】
この発明のデジタルカメラにおいて、前記複数の爪部は、前記撮像レンズユニットの固定鏡筒部の外周に突設し、前記複数の爪掛止部は、前記シャーシに前記固定鏡筒部の外周に対向させて設けられ、前記固定鏡筒部の外周面に対して接離する方向に変形する弾性を有し、前記爪部の掛止孔が形成された爪掛止片により構成するのが望ましい。
【０００８】
さらに、前記爪掛止片は、前記シャーシの前後方向に変形する弾性体を介して前記シャーシに支持させ、この爪掛止片に前記爪部を掛止された前記固定鏡筒部の前端を、前記弾性体の弾力により前記前側ケースの内面の固定鏡筒部嵌合部に押付けるようにするのが好ましい。
【０００９】
また、前記爪掛止片は、前記シャーシからその前面側に切起し形成するのが望ましい。
【００１０】
その場合、前記爪掛止片は、一端において前記シャーシにつながり、他端と両側が前記シャーシから切離された舌片の前記他端側の部分を前記シャーシの前面側に切起して形成し、前記舌片の前記一端側の部分により、前記シャーシの前後方向に撓み変形する弾性を有する板バネを形成し、この板バネの弾力により、前記爪掛止片に前記爪部を掛止された前記固定鏡筒部の前端を前記前側ケースの内面の固定鏡筒部嵌合部に押付けるようにするのが好ましい。
【００１１】
さらにまた、この発明のデジタルカメラにおいては、前記前側ケースの可動鏡筒突出し部を、前記前側ケースの前面部に設けられた開口部に化粧リングを嵌着して形成し、この化粧リングの前記カメラ本体内に対向する面に前記固定鏡筒部嵌合部を形成するのが好ましい。
【発明の効果】
【００１２】
この発明のデジタルカメラは、前記撮像レンズユニットの前記固定鏡筒部の外周の複数箇所と前記シャーシの前面とに、相互の掛止により、前記撮像レンズユニットを、前記撮像レンズの光軸方向及びレンズ周方向の位置を規定して前記シャーシの前面に仮固定する複数の爪部と爪掛止部とを設け、前記カメラ本体の前側ケースの内面に、この前側ケースに設けられた可動鏡筒突出し部の周縁に沿わせて、前記撮像レンズユニットの固定鏡筒部の前端部を嵌入させて前記撮像レンズユニットのレンズ中心位置を規定する固定鏡筒部嵌合部を形成しているため、前記爪部と爪掛止部とを掛止させることにより、容易に前記撮像レンズの光軸方向及びレンズ周方向の位置決めを行なうことができるとともに、前記撮像レンズユニットの固定鏡筒部の前端部を前記固定鏡筒部嵌合部に嵌入させることにより、前記撮像レンズのレンズ中心の位置出しを容易に行なうことができる。
【００１３】
この発明のデジタルカメラにおいて、前記複数の爪部は、前記撮像レンズユニットの固定鏡筒部の外周に突設し、前記複数の爪掛止部は、前記シャーシに前記固定鏡筒部の外周に対向させて設けられ、前記固定鏡筒部の外周面に対して接離する方向に変形する弾性を有し、前記爪部の掛止孔が形成された爪掛止片により構成するのが望ましく、このようにすることにより、前記複数の爪部を前記複数の爪掛止部に簡単に掛止させることができる。
【００１４】
さらに、前記爪掛止片は、前記シャーシの前後方向に変形する弾性体を介して前記シャーシに支持させ、この爪掛止片に前記爪部を掛止された前記固定鏡筒部の前端を、前記弾性体の弾力により前記前側ケースの内面の固定鏡筒部嵌合部に押付けるようにするのが好ましく、このようにすることにより、前記撮像レンズの光軸方向の位置決め精度を高くすることができる。
【００１５】
また、前記爪掛止片は、前記シャーシからその前面側に切起し形成するのが望ましく、このようにすることにより、前記爪掛止片を前記シャーシの所定位置に精度良くしかも低コストに設けることができる。
【００１６】
その場合、前記爪掛止片は、一端において前記シャーシにつながり、他端と両側が前記シャーシから切離された舌片の前記他端側の部分を前記シャーシの前面側に切起して形成し、前記舌片の前記一端側の部分により、前記シャーシの前後方向に撓み変形する弾性を有する板バネを形成し、この板バネの弾力により、前記爪掛止片に前記爪部を掛止された前記固定鏡筒部の前端を前記前側ケースの内面の固定鏡筒部嵌合部に押付けるようにするのが好ましく、このようにすることにより、前記撮像レンズの光軸方向の位置決め精度を高くすることができる。
【００１７】
さらにまた、この発明のデジタルカメラにおいては、前記前側ケースの可動鏡筒突出し部を、前記前側ケースの前面部に設けられた開口部に化粧リングを嵌着して形成し、この化粧リングの前記カメラ本体内に対向する面に前記固定鏡筒部嵌合部を形成するのが好ましく、このようにすることにより、前記可動鏡筒突出し部と前記固定鏡筒部嵌合部との位置関係を一定にし、前記撮像レンズのレンズ中心の位置出し精度を高くすることができる。
【発明を実施するための最良の形態】
【００１８】
図１〜図５はこの発明の一実施例を示しており、図１はデジタルカメラの斜視図、図２は前記デジタルカメラの分解斜視図、図３は前記デジタルカメラの拡大断面図、図４は図３のIV部の拡大図、図５は図４の爪掛止片部分の斜視図である。
【００１９】
このデジタルカメラは、左右方向の長さが８０〜９０ｍｍ、高さが５０〜６０ｍｍ、前後面間の厚さが１５〜２５ｍｍの薄型カメラであり、左右の端部がそれぞれ半円筒面に形成された矩形状ケースからなるカメラ本体１内と、前記カメラ本体１内に位置決めして配置されるシャーシ１０と、前記シャーシ１０の前面にレンズ光軸方向及びレンズ周方向の位置を規定されて仮固定され、且つレンズ中心位置を規定されて前記カメラ本体１内に配置される撮像レンズユニット１３とを備えている。
【００２０】
前記カメラ本体１は、前側ケース１ａと後側ケース１ｂとからなっており、この前側ケース１ａと後側ケース１ｂの周縁部を互いに嵌合わせ、これらのケース１ａ，１ｂを前記周縁部の複数箇所においてビス止めして組立てられる。
【００２１】
そして、前記前側ケース１ａの前面部には、その一端側に、前記撮像レンズユニット１３の可動鏡筒１６を図１に仮想線（二点鎖線）で示したようにカメラ本体１の前方に突出させるための可動鏡筒突出し部２が設けられており、さらに、この前側ケース１ａの前面部の他端側の上方位置にはストロボライト部５が設けられ、上面部にはシャッタボタン６と電源スイッチ７が設けられている。
【００２２】
一方、前記後側ケース１ｂの後面部には、その一端側に、液晶表示パネル９を備えたモニタ表示部８が設けられており、また、この後側ケース１ｂの後面部の他端側にはメニューキーやズームボタン等（図示せず）が設けられている。
【００２３】
また、前記シャーシ１０は、下端部に、前記前側ケース１ａと後側ケース１ｂの下端部の内面間の距離に対応した幅の折曲部１０ａを形成し、その前記折曲部１０ａに、前記後側ケース１ｂの下面部に設けられた複数のビス挿入孔１１に対応する複数のネジ孔１２を設けた金属板からなっており、このシャーシ１０に、前記撮像レンズユニット１３の配置部を避けて、図示しない回路基板及び各種電子部品が搭載されている。
【００２４】
このシャーシ１０は、前記カメラ本体１内の所定位置に位置決めして配置され、前記折曲部１０ａを前記カメラ本体１の前側及び後側ケース１ａ，１ｂの下端部間に挟持させるとともに、前記折曲部１０ａを前記後側ケース１ｂの下面部にビス止めして前記カメラ本体１内に固定される。
【００２５】
また、前記撮像レンズユニット１３は、固定鏡筒部１５と前記固定鏡筒部１５内に突出し及び格納可能に設けられた可動鏡筒１６とからなる撮像レンズ１４を有し、前記固定鏡筒部１５の内部及び外部に、個体撮像素子１７及びズーミングモータ１８等の撮像系部品を設けたものであり、前記個体撮像素子１７は、前記固定鏡筒部１５内の後端部に前記撮像レンズ１４に対向させて配置され、ズーミングモータ１８は、前記固定鏡筒部１５の外周面に配置されている。
【００２６】
なお、前記撮像レンズ１４はズーミングレンズであり、その可動鏡筒１６は、前記固定鏡筒部１５内に突出し及び格納可能に設けられた第１鏡筒１６ａと、この第１鏡筒１６ａ内に突出し及び格納可能に設けられた第２鏡筒１６ｂとからなっており、前記固定鏡筒部１５内と前記可動鏡筒１６の第１及び第２の１６ａ，１６ｂ内にそれぞれレンズ素子が配置されている。
【００２７】
そして、このデジタルカメラにおいては、前記撮像レンズユニット１３の固定鏡筒部１５の外周の複数箇所（好ましくは３〜４箇所）と前記シャーシ１０の前面とに、相互の掛止により、前記撮像レンズユニット１３を、そのレンズ光軸方向及びレンズ周方向の位置を規定して前記シャーシ１０の前面に仮固定する複数の爪部１９と爪掛止部２２とを設け、前記前側ケース１ａの内面に、前記可動鏡筒突出し部２の周縁に沿わせて、前記撮像レンズユニット１３の固定鏡筒部１５の前端部を嵌入させて前記撮像レンズユニット１３のレンズ中心位置を規定する固定鏡筒部嵌合部２５を形成している。
【００２８】
前記複数の爪部１９は、前記固定鏡筒部１５の前端方向の端面が、前記固定鏡筒部１５の周面に対して略直角な面に形成され、外側面が、前記固定鏡筒部１５の後端方向に向かって前記固定鏡筒部１５の周面に近くなる傾斜面に形成された楔状をなしており、前記撮像レンズユニット１３の固定鏡筒部１５の外周に一体に突設されている。
【００２９】
また、前記複数の爪掛止部２２は、前記シャーシ１０に前記固定鏡筒部１５の外周に対向させて設けられ、前記固定鏡筒部１５に対して接離する方向に変形する弾性を有し、前記爪部１９の掛止孔２３が形成された爪掛止片からなっている。以下、この爪掛止部２２を爪掛止片という。
【００３０】
前記爪掛止片２２は、前記シャーシ１０からその前面側に切起し形成されており、この実施例では、前記爪掛止片２２を、図５に示したように、一端において前記シャーシ１０につながり、他端と両側が前記シャーシ１０に設けたスリット部２０によりシャーシ１０から切離された舌片２１の前記他端側の部分を前記シャーシ１０の前面側に切起して形成し、前記舌片２１の前記一端側の部分により、前記シャーシ１０の前後方向に撓み変形する弾性を有し、前記爪掛止片２２に前記爪部１９を掛止された前記固定鏡筒部１５の前端を前記前側ケース１ａの内面に形成された前記固定鏡筒部嵌合部２５に押付ける板バネ２４を形成している。
【００３１】
また、前記固定鏡筒部嵌合部２５は、前記固定鏡筒部１５の前端部の外周面に略密に嵌合する円筒状面２５ａと、前記固定鏡筒部１５の前端面を受止める環状面２５ｂとからなっている。
【００３２】
この実施例では、前記前側ケース１ａの可動鏡筒突出し部２を、前記前側ケース１ａの前面部に設けられた開口部３に円形の化粧リング４を嵌着して形成し、この化粧リング４のカメラ本体１内に対向する面に、その内周縁に沿わせて前記固定鏡筒部嵌合部２５を形成している。
【００３３】
このデジタルカメラは、前記撮像レンズユニット１３を、その固定鏡筒部１５の外周に突設された複数の爪部１９を前記シャーシ１０に設けられた複数の爪掛止片２２に掛止させることにより、前記撮像レンズ１４の光軸方向及びレンズ周方向の位置を規定して前記シャーシ１０の前面に仮固定し、そのシャーシ１０を、前記前側ケース１ａに対して所定の位置に、前記撮像レンズユニット１３の固定鏡筒部１５の前端部を前記前側ケース１ａに設けられた可動鏡筒突出し部２の周縁に沿わせて形成された固定鏡筒部嵌合部２５に嵌入させて前記撮像レンズユニット１３のレンズ中心位置を規定して配置し、前記前側ケース１ａと後側ケース１ｂの周縁部を互いに嵌合わせてビス止めすることによりカメラ本体１を組立てることにより製造される。
【００３４】
このデジタルカメラは、前記撮像レンズユニット１３の固定鏡筒部１５の外周の複数箇所と前記シャーシ１０の前面とに、相互の掛止により、前記撮像レンズユニット１３を、前記撮像レンズ１４の光軸方向及びレンズ周方向の位置を規定して前記シャーシ１０の前面に仮固定する複数の爪部１９と爪掛止片２２とを設け、前記カメラ本体１の前側ケース１ａの内面に、この前側ケース１ａに設けられた可動鏡筒突出し部２の周縁に沿わせて、前記撮像レンズユニット１３の固定鏡筒部１５の前端部を嵌入させて前記撮像レンズユニット１３のレンズ中心位置を規定する固定鏡筒部嵌合部２５を形成しているため、前記爪部１９と爪掛止片２２とを掛止させることにより、容易に前記撮像レンズ１４の光軸方向及びレンズ周方向の位置決めを行なうことができるとともに、前記撮像レンズユニット１３の固定鏡筒部１５の前端部を前記前側ケース１ａの内面の固定鏡筒部嵌合部２５に嵌入させることにより、前記撮像レンズ１４のレンズ中心の位置出しを容易に行なうことができる。
【００３５】
また、この実施例のデジタルカメラは、前記複数の爪部１９を、前記撮像レンズユニット１３の固定鏡筒部１５の外周に突設し、前記爪部１９を掛止する複数の爪掛止部を、前記シャーシ１０に前記固定鏡筒部１５の外周に対向させて設けられ、前記固定鏡筒部１５に対して接離する方向に変形する弾性を有し、前記爪部１９の掛止孔２３が形成された爪掛止片２２により構成しているため、前記撮像レンズユニット１３を前記シャーシ１０にその前側から押付けるだけで、前記複数の爪部１９を前記複数の爪掛止部（爪掛止片）２２に簡単に掛止させることができる。
【００３６】
さらに、この実施例では、前記爪掛止片２２を、前記シャーシ１０からその前面側に切起し形成しているため、前記爪掛止片２２を前記シャーシ１０の所定位置に精度良くしかも低コストに設けることができる。
【００３７】
そして、この実施例では、前記爪掛止片２２を、一端において前記シャーシ１０につながり、他端と両側が前記シャーシ１０から切離された舌片２１の前記他端側の部分を前記シャーシ１０の前面側に切起して形成し、前記舌片２１の前記一端側の部分により、前記シャーシ１０の前後方向に撓み変形する弾性を有する板バネ２４を形成し、この板バネ２４の弾力により、前記爪掛止片２２に前記爪部１９を掛止された前記固定鏡筒部１５の前端を前記前側ケース１ａの内面の固定鏡筒部嵌合部２５に押付けるようにしているため、前記撮像レンズ１４の光軸方向の位置決め精度を高くすることができる。
【００３８】
さらにまた、この実施例では、前記前側ケース１ａの可動鏡筒突出し部２を、前記前側ケース１ａの前面部に設けられた開口部３に化粧リング４を嵌着して形成し、この化粧リング４のカメラ本体１内に対向する面に前記固定鏡筒部嵌合部２５を形成しているため、前記可動鏡筒突出し部２と前記固定鏡筒部嵌合部２５との位置関係を一定にし、前記撮像レンズ１４のレンズ中心の位置出し精度を高くすることができる。
【００３９】
なお、上記実施例では、前記爪掛止片２２を、前記シャーシ１０から切起し形成しているが、撮像レンズユニット１３の固定鏡筒部１５の外周に突設された爪部１９を掛止する爪掛止部は、前記シャーシ１０とは別部材からなる爪掛止片を前記シャーシ１０に取付けて形成してもよい。
【００４０】
その場合、前記爪掛止片は、前記シャーシ１０の前後方向に変形するゴム材等の弾性体を介して前記シャーシ１０に支持させ、この爪掛止片に前記爪部１９を掛止された前記固定鏡筒部１５の前端を、前記弾性体の弾力により前記前側ケース１ａの内面の固定鏡筒部嵌合部２５に押付けるようにするのが好ましく、このようにすることにより、前記撮像レンズ１４の光軸方向の位置決め精度を高くすることができる。
【００４１】
また、前記撮像レンズユニット１３を、そのレンズ光軸方向及びレンズ周方向の位置を規定して前記シャーシ１０の前面に仮固定するための複数の爪部と爪掛止部は、上記実施例と反対に、前記爪部を前記シャーシ１０にその前面から突出させて設け、前記爪掛止部を前記撮像レンズユニット１３の固定鏡筒部１５の外周に設けてもよい。
【図面の簡単な説明】
【００４２】
【図１】この発明の一実施例を示すデジタルカメラの斜視図。
【図２】前記デジタルカメラの分解斜視図。
【図３】前記デジタルカメラの拡大断面図。
【図４】図３のIV部の拡大図。
【図５】図４の爪掛止片部分の斜視図。
【符号の説明】
【００４３】
１…カメラ本体、１ａ…前側ケース、１ｂ…後側ケース、２…可動鏡筒突出し部、３…開口部、４…化粧リング、１０…シャーシ、１３…撮像レンズユニット、１４…撮像レンズ、１５…固定鏡筒部、１６…可動鏡筒、１７…固体撮像素子（撮像系部品）、１８…ズーミングモータ（撮像系部品）、１９…爪部、２１…舌片、２２…爪掛止片（爪掛止部）、２３…掛止孔、２４…板バネ、２５…固定鏡筒部嵌合部。
【図１】
2006352343.tif 000003
【図２】
2006352343.tif 000004
【図３】
2006352343.tif 000005
【図４】
2006352343.tif 000006
【図５】
2006352343.tif 000007